(57)【要約】【課題】限られた遊技領域のスペースであっても、ユニット役物に設けた開閉体を良好に開閉動作できる遊技機を提供する。【解決手段】センター飾り２３の入球開口部４８を開閉する開閉体４９は、一端部４９ａを入球開口部４８から外方に向け、他端部４８ｂを入球開口部４８の内方に向けて回動自在に軸支されているので、一端部４９ａの長さを短く設定して、限られた遊技領域３ａであっても良好に開閉体４９を開閉動作することができる。また、他端部４８ｂはセンター飾り２３内に達しているので、開閉体４９にて捕らえた遊技球Ｂａを、センター飾り２３内部で放出することができる。【選択図】図２
2007267926.tif 000002
【特許請求の範囲】
【請求項１】
入球開口部と、該入球開口部を開放又は閉止するように所定の契機で回動する開閉体と、を有するユニット役物を遊技領域に備えた遊技機において、
前記開閉体は、一端部を前記入球開口部から外方に向けると共に他端部を前記入球開口部の内方に向けた状態で回動軸を中心に回動する部材からなり、
前記回動軸は、前記ユニット役物における前記入球開口部の近傍にて、前記開閉体の長手方向における前記他端部よりも中央側に偏倚した位置で前記開閉体を回動支持してなる、
ことを特徴とする遊技機。
【請求項２】
前記開閉体の前記他端部は、前記入球開口部から前記ユニット役物の内方側に突出してなる、
請求項１記載の遊技機。
【発明の詳細な説明】
【技術分野】
【０００１】
本発明は、パチンコ機等の遊技機に係り、詳しくは、遊技領域内での省スペース化を図り得る構造を備えた遊技機に関する。
【背景技術】
【０００２】
遊技機には、いわゆる第１種特別電動役物を用いたパチンコ機（以下、第１種パチンコ遊技機という）や、いわゆる第２種特別電動役物を用いたパチンコ機（以下、第２種パチンコ遊技機という）と称されるものがあり、従来から広く親しまれている。第１種パチンコ遊技機は、所定の遊技領域が設けられた遊技盤と、遊技領域に設けられて遊技球が通過可能な始動口と、始動口を遊技球が通過すると所定の抽選（電気的な抽選）を行う抽選手段と、抽選手段による抽選の結果に基づいて図柄を変動表示可能な図柄表示装置と、を備えて構成される。そして、図柄表示装置に停止表示された図柄が予め定められた当たり図柄であるときに、遊技領域の下部に設けられた大入賞口が開放されて遊技球の入賞を容易にすることで、通常遊技よりも有利な特別遊技を遊技者に行わせるようになっている（特許文献１参照）。
【０００３】
また、第２種パチンコ遊技機は、所定の遊技領域が設けられた遊技盤と、遊技領域に設けられて遊技球が通過可能な始動口と、遊技領域に設けられて側部に形成された大入賞口を通じて遊技球が内部に入球可能な入球役物と、該入球役物の外周部に設けられて大入賞口を開閉可能な開閉体（いわゆる羽根）と、を備えて構成される。そして、始動口を遊技球が通過することで開閉体が大入賞口を開放し、開閉体に拾われて大入賞口を通過（入賞）した遊技球が、上記入球役物の外部に排出するための排出口、又はＶゾーンと称される入賞口に振り分けられ（機械的な抽選）、このＶゾーンに入球すると、開閉体が大入賞口を比較的長い時間開閉動作を繰り返して遊技球の入賞を容易にすることで、遊技者に特別遊技を行わせるようになっている（特許文献２参照）。
【０００４】
【特許文献１】特開２００３−２３６２１０号公報
【特許文献２】特開２００４−８９２１８号公報
【発明の開示】
【発明が解決しようとする課題】
【０００５】
上述のように第１種パチンコ遊技機では電気的な抽選の遊技を行うことができ、第２種パチンコ遊技機では機械的な抽選の遊技を行うことができるが、これら双方の遊技を同一のパチンコ遊技機で行うことができれば遊技性に富むものとなる。そこで本出願人は、双方の機能を兼ね備えたパチンコ遊技機（以下、１種２種パチンコ遊技機という）を案出している。
【０００６】
ところで、このような１種２種パチンコ遊技機では、第１種の機能に対応する比較的大型の画像表示装置や、大当たり抽選の結果に関する大当たりとなる確率を示す信頼度を報知する比較的大型の演出装置等を上記入球役物に設けなければならない関係上、該入球役物が、従来の第２種パチンコ遊技機に備えた入球役物より大型化することが考えられる。
【０００７】
しかしながら、遊技盤のサイズは限られており、入球役物を収容する遊技領域の制約を受けることは避けられず、特に、入球役物に備えた開閉体（いわゆる羽根）が、その開閉動作時に遊技領域の外縁部に接触するような不都合を生じる虞がある。
【０００８】
そこで本発明は、弾球遊技の機能を複合化して興趣を向上させる構成を備えながらも、それによりサイズが大型化する入球役物（ユニット役物）に備えた開閉体の良好な動作を損なわないようにし得るように構成し、もって上記課題を解決した遊技機を提供することを目的とするものである。
【課題を解決するための手段】
【０００９】
請求項１に係る本発明は（例えば図１ないし図３参照）、入球開口部（４８）と、該入球開口部（４８）を開放又は閉止するように所定の契機で回動する開閉体（４９）と、を有するユニット役物（２３）を遊技領域（３ａ）に備えた遊技機（１）において、
前記開閉体（４９）は、一端部（４９ａ）を前記入球開口部（４８）から外方に向けると共に他端部（４９ｂ）を前記入球開口部（４８）の内方に向けた状態で回動軸（５０）を中心に回動する部材からなり、
前記回動軸（５０）は、前記ユニット役物（２３）における前記入球開口部（４８）の近傍にて、前記開閉体（４９）の長手方向における前記他端部（４９ｂ）よりも中央側に偏倚した位置で前記開閉体（４９）を回動支持してなる、
ことを特徴とする遊技機（１）にある。
【００１０】
請求項２に係る本発明は（例えば図１ないし図３参照）、前記開閉体（４９）の前記他端部（４９ｂ）は、前記入球開口部（４８）から前記ユニット役物（２３）の内方側に突出してなる、
請求項１記載の遊技機（１）にある。
【００１１】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１２】
請求項１に係る本発明によると、入球開口部を開放又は閉止する部材からなる開閉体は、一端部を入球開口部から外方に向け、他端部を入球開口部の内方に向けた状態で回動軸を中心に回動することができ、この回動軸は、開閉体の他端部よりも中央側に偏倚した位置で開閉体を回動支持しているので、入球役物を収容する遊技領域の制約を受けることなく、限られた遊技領域のスペースであっても良好に開閉体の開閉動作を実現できる。
【００１３】
請求項２に係る本発明によると、入球開口部の内方にある開閉体の他端部が、入球開口部から入球役物の内方側に突出しているので、開閉体の一端部で捕捉された遊技球は、開閉体に案内されながら入球役物の内方側まで到達して、極めて円滑にユニット役物の内方に流下することができる。これにより、遊技者は、遊技球が入球役物の内方のより好適な位置で流下する様、開閉体の開放角度にタイミングをあわせて遊技をすすめることができる。
【発明を実施するための最良の形態】
【００１４】
以下、本発明に係る遊技機の実施の形態として、遊技場等に設置されるパチンコ機を図面に沿って説明する。図１は、本実施形態におけるパチンコ機１の外部構造を示す正面図、図２は、センター飾り２３を拡大して示す正面図である。なお、本実施の形態では、本発明の遊技機を所謂第１種特別電動役物及び所謂第２種特別電動役物の双方を使用した１種２種パチンコ機として述べるが、本発明はこれに限らず、所謂第２種特別電動役物のみを使用した第２種パチンコ遊技機にも適用可能であることは勿論である。
【００１５】
本パチンコ機１は、図１に示すように、発射ハンドル２の操作による発射装置（図示せず）の作動で遊技球（所謂パチンコ玉）を遊技盤３の遊技領域３ａに向かって打ち出しつつ遊技を行うもので、始動チャッカー２７への入賞を契機とする抽選に基づき大当たりが発生した状態でアタッカー５への入賞に対応して賞球を行う所謂第１種としての機能を備え、大当たり入賞口への入球で大当たりが発生した状態で、ユニット役物としてのセンター飾り２３内への入賞に対応して賞球を行う所謂第２種としての機能を備えている。なお、大当たり入賞口は、開閉体４９の開放時に導入されて所定の条件を満たした（即ち、後述のクルーン部材３２又は３３のＶ収容凹部３２ａ又は３３ａを経由した）遊技球が入賞したとき大当たりを発生させるように機能する。
【００１６】
本パチンコ機１は、開口を有する枠体状の筐体６と、遊技盤３を支持した形で筐体６に開閉可能に支持された前扉７とを有しており、前扉７の前面には、透明ガラス９を有するガラス枠１０が、前扉７の遊技盤保持枠（図示せず）に対して開閉可能に取り付けられている。透明ガラス９の奥側には、遊技盤３が配設されている。前扉７における遊技盤３の左右には演出用照明装置１１が配設されており、前扉７における上部左右、及び下部の皿ユニット１６の左右には、スピーカー（図示せず）を有する放音装置１２がそれぞれ配設されている。そして、前扉７の上部における放音装置１２の間には、演出用照明装置８が配設されている。
【００１７】
また、ガラス枠１０における中央部右方には、前扉７を筐体６側に施錠又は解放し、或いは、ガラス枠１０を前扉７側に施錠又は解放するための施錠装置１３が配設されている。なお、図１中の符号１４は、発射装置７２によって打ち出された遊技球Ｂａを遊技盤３側に案内するガイドレールを示している。本パチンコ機１には、遊技中に遊技領域３ａにて入賞することなく落下してアウト口（図示せず）に進入した遊技球Ｂａをパチンコ機１の背面側に導くアウト球通路（図示せず）が設けられている。
【００１８】
そして、前扉７における下部中央には皿ユニット１６が設けられており、皿ユニット１６における右上部には、賞球及び貸球を含む遊技球Ｂａが供給される球供給口１７が設けられ、皿ユニット１６における右上部壁面には、球貸ボタン１９ａ及びプリペイドカード返却ボタン１９ｂが設けられている。皿ユニット１６の中央左部には、該皿ユニット１６上の遊技球Ｂａを発射装置（図示せず）付近から皿ユニット下部の球排出口（図示せず）を通して下方に排出するための第１球抜きボタン２０ａが配設されており、皿ユニット１６の中央下部には、皿ユニット１６上の遊技球Ｂａを球供給口１７付近から上記球排出口を通して下方に排出するための第２球抜きボタン２０ｂが配設されている。また、前扉７における皿ユニット１６の右方下部には、上記発射装置を操作して遊技球Ｂａを遊技盤３に向けて打ち出すための発射ハンドル２が設けられている。更に、皿ユニット１６の下部左方には灰皿２１が配設されている。
【００１９】
遊技領域３ａの中央部分には、ステージ７７を有するセンター飾り２３が配設されている。センター飾り２３の左下方には、大当たり抽選に寄与しない入賞が行われる一般入賞口２５ａが配設されている。センター飾り２３の直下方には、所謂第１種機能のための始動チャッカー２７とアタッカー５とが順次配設されている。また、センター飾り２３の開閉体４９の下方には、所謂第２種機能のためのスルーゲート９５及び始動チャッカー２８が配設されている。この始動チャッカー２８の上部には複数本（本実施形態では３本）の障害釘９４が打ち込まれており、該障害釘９４の存在により始動チャッカー２８は、開放時にのみ入賞が許容される。スルーゲート９５と始動チャッカー２８との間には、一般入賞口２５ｂが配設されている。
【００２０】
上記スルーゲート９５への入球（通過）を契機として第２抽選手段９３（図５参照）による開閉抽選が行われ、該抽選で当選した場合には、始動チャッカー開閉ソレノイド７０（図５参照）の作動により始動チャッカー２８の開閉部（所謂チューリップ）が所定時間（例えば０．２秒程度）開放された後に閉止するように駆動される。この際に、始動チャッカー２８への入賞があれば、開閉体４９が、開閉体開閉ソレノイド７３（図５参照）の作動により回動支点５０を中心として所定時間（例えば０．２秒程度）開放された後に閉止するように駆動される。
【００２１】
センター飾り２３の左右上方と左下方にはそれぞれ風車３１が配設されている。遊技領域３ａにおけるセンター飾り２３、一般入賞口２５ａ，２５ｂや始動チャッカー２７，２８等の周囲には、センター飾り２３のステージ７７から零れた遊技球や、発射されてからステージ７７等に関与せずに落下してくる遊技球を適宜散らし、或いは入球に導くようにするための多数の障害釘が打ち込まれている。
【００２２】
始動チャッカー２７は、所謂第１種として大当たり抽選実行の契機となり得る入賞が行われるものであり、その直上方には、所謂命釘としての一対の障害釘３０が打ち込まれている。アタッカー５は、所謂第１種としての大当たり発生時に開放され、遊技盤３の遊技領域３ａに打ち出されて転動落下する遊技球Ｂａを入賞させるものであり、大当たり発生中、例えば、１回の開放で９個の入球を完了した時点で閉じ、当該開閉動作を１５回繰り返すように構成される。なお、これらの入球数並びに開閉動作の回数は、９個や１５回に限定されることはなく、必要に応じて適宜設定され得るものである。
【００２３】
センター飾り２３は、図１及び図２に示すように、遊技盤３側に固定された図柄表示装置３５の画面３５ａを露出する開口部３６を中央部に、信頼度演出装置７９を上部に、ワープ導入口３７を左中央部に、所定の契機で開閉動作する開閉体４９を右中央部に、それぞれ有している。ワープ導入口３７の対向位置には、一対の障害釘３９が打ち込まれている。センター飾り２３は更に、ワープ導入口３７から導入された遊技球をステージ７７に放出する放出口（図示せず）を左下部に、ステージ７７を開口部３６の下側にそれぞれ有している。図柄表示装置３５の画面とステージ７７との間には可動演出装置２２が配設されており、該可動演出装置２２の左右には第１及び第２クルーン部材３２，３３が配設されている。上記ステージ７７は、所謂第２種としての遊技を行う可動演出装置２２側に関与することはなく、上記放出口から放出された遊技球を、始動チャッカー２７を上方から臨むように切り欠き形成された切欠き部７８に落下させるだけの機能を有する。
【００２４】
なお、上記「ワープ導入」という語句は、遊技領域３ａに打ち出された遊技球を、当該遊技領域３ａの比較的下側に位置する不図示の道釘等を経ることなく、始動チャッカー２７の上に導くことを意味する概念である。また、上記「道釘」とは、遊技領域３ａにおいて始動チャッカー２７左右に打ち込まれた複数本の障害釘の列を意味するもので、上方から転動落下してきた遊技球を始動チャッカー２７方向に導く役割を担っている。
【００２５】
ステージ７７の中央部は、図２に示すように、可動演出装置２２側から前方に向かって末広がり状に窪む凹部８２が形成されており、この凹部８２は、転動してきた遊技球を切欠き部７８の中央側に寄せる働きをしている。切欠き部７８から落下する遊技球は、落下時の左右方向のブレに起因して、障害釘（命釘）３０の中央を上手く通過して始動チャッカー２７に入賞したり、障害釘３０に接触して弾き返されて入賞できなかったりする。
【００２６】
後に詳述する開閉体４９は、始動チャッカー２８への入賞時に作動する開閉体開閉ソレノイド７３（図５参照）により、センター飾り２３の入球開口部４８を所定時間開放した後閉止する。遊技領域３ａに打ち出されてセンター飾り２３の右側流路を流下する遊技球が、開放した開閉体４９に拾われた場合、この遊技球は、開閉体４９の開閉角度により、第１及び第２クルーン部材３２，３３の背後に配置された大当たり入賞口（図示せず）に入球する第１方向Ｇ１と、可動演出装置２２の中央部に開口する排出口２６に入球する第２方向Ｇ２とに、振り分けられる。
【００２７】
可動演出装置２２の上方では、開閉体４９の下方よりセンター飾り２３の左方下部に向かって傾斜して延びるクルーン案内路４が形成されており、本実施形態では該クルーン案内路４を渡って第２クルーン部材３３に向かう方向を第１方向Ｇ１としている。また、クルーン案内路４の後方には、第1クルーン部材３２が回動自在に配置されており、開閉体４９から流下してクルーン案内路４に到達した遊技球Ｂａを振り分けて、一部の遊技球Ｂａが第１クルーン部材３２に取り込まれる。本第１クルーン部材３２では複数の収容凹部が設けられており、遊技球ＢａがそのうちのＶ収容凹部３２ａに取り込まれた場合には、第１クルーン部材３２の回動に従いセンター飾り２３の背後で開口する大当たり入賞口まで運ばれて大当たり入賞となる。
【００２８】
一方、上記振り分けにより第１クルーン部材３２に取り込まれなかった遊技球Ｂａは、クルーン案内路４に案内されながら、ワープ導入口３７が設けられた縁側で回動自在に配置された第２クルーン部材３３まで到達する。第２クルーン部材３３も第１クルーン部材３２と同様に、複数の収容凹部が設けられており、遊技球ＢａがそのうちのＶ収容凹部３３ａに取り込まれた場合には、第２クルーン部材３３の回動に従いながらセンター飾り２３の背後に開口する大当たり入賞口まで運ばれて大当たり入賞となる。
【００２９】
次に、開閉体４９の開き動作が進行した段階で取り込まれた遊技球Ｂａ、すなわち、開閉体４９が水平方向に近くなるまでに開いた状態で取り込まれた遊技球Ｂａは、排出路２９を介して可動演出装置２２の下方中央で開口する排出口２６に導かれる。第１クルーン部材３２の周縁上方からは、排出口２６に向かう排出路２９が形成されており、開閉体４９にて取り込まれた遊技球Ｂａを遊技領域３ａ外方へ排出している。本実施形態では、排出路２９に流下する方向を第２方向Ｇ２としている。
【００３０】
なお、第１及び第２クルーン部材３２，３３は、互いに対向する回転方向で低速回転しており、Ｖ収容凹部３２ａ又はＶ収容凹部３３ａに到達した遊技球Ｂａを機械的に抽選して大当たり入賞口まで導いている。
【００３１】
つづいて、センター飾り２３の上部にある信頼度演出装置７９について説明する。信頼度演出装置７９は、固定立体造形部７９ａと可動立体造形部７９ｂとを有しており、後述する信頼度決定手段１００からの信号に基づいて、大当たりとなる確率を示す信頼度に係る確率演出を実行する。
【００３２】
固定立体造形部７９ａは、所謂ドクロ状を立体的に造形した立体造形物であり、左右の眼球の位置にはフルカラーＬＥＤが装着されて、一定の演出時に発光することができる。本固定立体造形部７９ａの内部空間には、不図示の駆動装置により昇降できる可動立体造形部７９ｂが収容されており、一定の演出時に固定立体造形部７９ａの内部空間から降下して図柄表示装置３５の画面３５ａ前面に現れる。本実施形態では、可動立体造形部７９ｂは人形模型が鎖に掴まった造形物であり、上記した左右の眼球の発光と連動して、或いは単独により昇降する。
【００３３】
次に、センター飾り２３の右中央に配設された開閉体４９は、図３に示すように、入球開口４８を開閉する弁体であり、入球開口４８から外方に向く一端部４９ａと、入球開口４８から内方に向く他端部４９ｂとを有しており、遊技盤３から延出する回動軸５０により揺動自在に軸支されている。
【００３４】
入球開口４８の閉塞時では（図３中の実線）、開閉体４９の一端部４９ａが入球開口４８の上端４８ａと、他端部４９ｂが入球開口４８の下端４８ｂと当接しており、入球開口４８の開放時（図３中の破線）では、開閉体４９が略水平に近い角度まで回動して、入球開口４８の近傍を流下する遊技球Ｂａを捕らえて入球開口４８に導くことができる。
【００３５】
本開閉体４９は、従前のセンター飾りが有する開閉部材や、所謂チューリップが有する開閉部材に対して比較的長尺な長さを有する部材であり、他端部４９ｂがセンター飾り２３の内方に向けて長く突出して形成されており、一端部４９ａにて捕らえた遊技球Ｂａをセンター飾り２３の内方側で放出することができる。すなわち、回動軸５０は、他端部４９ｂよりも長手方向の中央側に偏倚した位置にて開閉体４９を回動支持して、一端部４９ａの周動半径を短くしているので、開閉体４９の稼動スペースを有効に活用している。
【００３６】
なお、本実施形態では、開閉体４９は所謂ライフル銃の形状を模した装飾がされており、開閉体４９の上辺４９ｃは略直線状であり、遊技球Ｂａをセンター飾り２３の内方に案内するのに適した傾斜を有している。
【００３７】
ついで、本パチンコ機１の背面構造について図４を参照して説明する。同図は、本パチンコ機１の背面構造を示す背面図である。
【００３８】
図４に示すように、パチンコ機１の筐体６の背面における上部左方には、賞球タンク４３が取り付けられており、この賞球タンク４３の下方に、サブ制御基板３８、主制御基板４０、及び払出し制御基板５１がこの順に配置されている。また、筐体背面における上部右方には、外部端子板５２が取り付けられており、この外部端子板５２の下方に、整列待機通路４５、賞球装置４６、賞球排出通路４７、電源ユニット４１、及び発射装置用の発射制御基板５３がこの順に配置されている。パチンコ機１の筐体背面における左側部には、施錠装置１３が配設されている。
【００３９】
次に、本実施形態におけるパチンコ機１の制御系を図５に沿って説明する。なお、同図は本パチンコ機の制御系を示すブロック図である。また、同図では、後述する変形例で用いられる第２の信頼度演出装置８２を、便宜上、併せて記載している。
【００４０】
本制御系は、遊技制御装置５４と、該遊技制御装置５４に電気的に接続された、始動チャッカー開閉ソレノイド７０、アタッカー開閉ソレノイド７１、開閉体開閉ソレノイド７３、放音装置１２、演出用照明装置８，１１、図柄表示装置３５、第１クルーン回転モータ９８、第２クルーン回転モータ９９、可動演出装置２２、及び信頼度演出装置７９と、を備えている。
【００４１】
遊技制御装置５４は、図４に示した主制御基板４０やサブ制御基板３８等から構成されている。主制御基板４０は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、サブ制御基板３８は、主に画像表示、効果音等の演出、効果光等の表示制御を行うように構成されている。
【００４２】
遊技制御装置５４は、入賞入球判定手段５５、入賞入球信号出力手段５６、第１抽選手段５７、第２抽選手段９３、遊技制御手段５９、保留手段６０、作動制御手段６１、作動判定手段６２、作動決定手段６３、演出制御手段６４、表示制御手段６５、開閉体制御手段６６、クルーン作動手段６７、及び信頼度決定手段１００を備えている。
【００４３】
入賞入球判定手段５５は、発射ハンドル２の操作で作動する発射装置によって遊技領域３ａに打ち出された遊技球が始動チャッカー２７，２８、一般入賞口２５ａ，２５ｂ、アタッカー５、及び大当たり入賞口等の何れかに入賞したとき、或いはスルーゲート９５を遊技球が通過したとき、それら入賞或いは入球があった旨を判定する。
【００４４】
入賞入球信号出力手段５６は、入賞入球判定手段５５によって入賞、入球が判定されたとき、対応する始動チャッカー２７，２８、一般入賞口２５ａ，２５ｂ、アタッカー５、大当たり入賞口、スルーゲート９５に入賞、入球した旨の信号を出力する。
【００４５】
第１抽選手段５７は、入賞入球信号出力手段５６からの信号の入力時、最大保留球数（例えば４個）未満での入賞を契機として大当たりに当選するように、不図示の抽選用メモリから当たり当選乱数値を取得して、大当たり抽選を実行する。また、取得した当選乱数値は後述する信頼度決定手段１００に送出される。そして、第１抽選手段５７は、大当たりに当選した場合、不図示の演出用メモリに格納された演出乱数値に基づく抽選で、変動の結果、図柄が図柄表示装置３５の大当たり有効ライン上で最終的に揃う旨の変動パターンを決定し、その旨の変動パターン信号を出力する。なお、上記「大当たり有効ライン」は、大当たりを得るため図柄が一列に並ぶべき位置（ライン）を意味する。第１抽選手段５７はまた、第１抽選手段５７での大当たり抽選で外れた場合、演出乱数値に基づく抽選で、変動の結果、図柄が大当たり有効ライン上で最終的に揃う旨の変動パターンを決定し、その旨の変動パターン信号を出力する。
【００４６】
第２抽選手段９３は、スルーゲート９５に関する入球信号を入賞入球信号出力手段５６から入力した際に、最大保留球数（例えば４個）未満での入球を契機として開閉抽選を実行し、該抽選で当選した場合に、開閉体制御手段６６を介して始動チャッカー開閉ソレノイド７０を作動させて始動チャッカー２８を開閉動作させる。
【００４７】
遊技制御手段５９は、放音装置１２、演出用照明装置８，１１、及び信頼度演出装置７９に放音、発光、駆動などの演出をさせる契機となる指令を演出制御手段６４に送ると共に、予め設定された演出データや、第１抽選手段５７での抽選結果に応じて、図柄表示装置３５に表示すべき演出内容に関する信号を表示制御手段６５に送る。
【００４８】
保留手段６０は、第１抽選手段５７から出力された変動パターン信号を入力し、変動パターンを、始動チャッカー２７への入賞の都度に行われた抽選の結果となる保留球として順次記憶する。当該記憶状況は、不図示の抽選保留表示装置に、最大４個の保留球となるように点灯表示される。保留手段６０は、保留球数が４個になっているか否かを常時判定し、保留球数が４個表示されている間は、始動チャッカー２７への入賞に拘わらず大当たり抽選は行わない。なお、保留球として点灯表示される保留球数は上記「最大４個」に限らず、例えば３個以下、又は５個以上として適宜設定することも可能である。
【００４９】
そして保留手段６０は、保留（記憶）している変動パターンに係る信号を順次出力し、その変動パターン信号に基づく演出表示が終了するまでは次の変動パターン信号を出力しないようにするための図柄変動禁止フラグを立てる（オンする）と共に、当該オンした図柄変動禁止フラグを解除する時間を計測するための図柄変動タイマ（図示せず）をセットし、変動パターン信号の出力に応じて保留球数を１デクリメントする。また保留手段６０は、保留球の消費に応じて保留球数が４個未満となった場合、第１抽選手段５７で行われる始動チャッカー２７への入賞に応答した大当たり抽選の結果を保留球として記憶し、保留球数を１インクリメントする。
【００５０】
作動制御手段６１は、作動決定手段６３の作動開始決定の旨の信号に基づき、始動チャッカー開閉ソレノイド７０に駆動信号を送って該ソレノイド７０を作動させ、始動チャッカー２８を開放又は閉塞動作させる。更に作動制御手段６１は、アタッカー開閉ソレノイド７１に駆動信号を送って該ソレノイド７１を作動させ、第１抽選手段５７での抽選の結果を信頼度決定手段１００に送出し、そして大当たり発生時にアタッカー５を開放して所定数入賞が終了する（又は所定時間が経過する）毎に閉塞する動作を所定回数（所定ラウンド）だけ繰り返すように制御する。
【００５１】
作動判定手段６２は、始動チャッカー開閉ソレノイド７０及びアタッカー開閉ソレノイド７１を作動させるための条件を満たすか否かを判定する。つまり、始動チャッカー開閉ソレノイド７０にあって、始動チャッカー２７の開閉の「条件を満たす」時とは、第１抽選手段５７の大当たり抽選とは別途行われる抽選で当選した場合である。アタッカー開閉ソレノイド７１にあって、アタッカー５の開放の「条件を満たす」時とは、所謂リーチ（所謂スーパーリーチ、ノーマルリーチを含む）の状態から３つの同じ図柄が大当たり有効ライン上で揃って大当たりが発生した場合であり、アタッカー５の閉塞の「条件を満たす」時とは、大当たり発生時における全ての入賞を完了した場合である。
【００５２】
作動決定手段６３は、作動判定手段６２からの判定信号を受けて、始動チャッカー開閉ソレノイド７０、アタッカー開閉ソレノイド７１の作動開始を夫々に決定する。
【００５３】
演出制御手段６４は、遊技制御手段５９からの指令に応答して、放音装置１２を放音駆動し、演出用照明装置８，１１を発光させる。また、演出制御手段６４は、駆動の契機となる指令が遊技制御手段５９から送られた状態で、信頼度演出手段１００で決定された確率の程度を示す信号を受信した場合、該信号に対応して信頼度演出装置７９の可動立体造形部７９ｂを昇降駆動して、遊技者の聴覚や視覚に訴える演出を行う。つまり、信頼度演出手段１００で決定された確率が高い場合には可動立体造形部７９ｂを大きく昇降駆動して、逆に確率が低い場合には小さく昇降駆動する。
【００５４】
表示制御手段６５は、遊技制御手段５９からの信号に従って、図柄表示装置３５を駆動し、大当たり抽選結果を中心とした内容等の演出を、遊技者の視覚に訴えるように演出表示する。
【００５５】
開閉体制御手段６６は、上記開閉抽選に当選して開放した始動チャッカー２８に入賞した旨の入賞信号を入賞入球信号出力手段５６から入力した際に、開閉体開閉ソレノイド７３に駆動信号を出力し、開閉体４９を所定時間（例えば０．２秒程度）開放した後に閉止させる開閉動作を１回のみ行わせる。また、開閉体制御手段６６は、大当たり入賞口への入賞によって大当たりが確定した場合、開閉体開閉ソレノイド７３に駆動信号を出力し、開閉体４９を所定時間（例えば０．２秒程度）開放した後に閉止させる開閉動作を、９回ずつ１５ラウンド繰り返させる。なお、上述の１回のみの動作回数は、２回、３回など、製造時の設計に応じて適宜変更し得るものであり、また大当たり発生時の動作回数も、９回ずつ１５ラウンドに限らず、製造時の設計に応じて適宜変更し得るものである。
【００５６】
クルーン作動手段６７は、パチンコ機１の主電源がオンした時点から第１及び第２クルーン回転モータ９８，９９をそれぞれに駆動して、第１及び第２クルーン部材３２，３３をそれぞれ一方向に低速回転させる。
【００５７】
信頼度決定手段１００は、第１抽選手段５７での大当たり抽選の結果とは別に、予めテーブルデータとして用意された信頼度乱数から抽選によって、大当たりが当選する見かけ上の確率、つまり、大当たり抽選の結果に関する大当たりとなる確率を示す信頼度を、１０％、２０％、・・・８０％、９０％等のような数値として決定する。該信頼度決定手段１００は、信頼度乱数からの抽選を行うか否かを、始動チャッカー２７への入賞後に別途行う抽選によって決める。信頼度決定手段１００によって決められた確率の程度は演出制御手段６４へ信号として送られ、該演出制御手段６４の制御により信頼度演出装置７９が駆動される。その際には信頼度に応じて信頼度演出装置７９の固定立体造形部７９ａと可動立体造形部７９ｂとが適宜に制御される。
【００５８】
次に、本パチンコ機１による作用について、図６及び図７のフローチャートを併せて参照しつつ説明する。なお、図６は所謂第１種としての遊技を示すフローチャートであり、図７は所謂第２種としての遊技を示すフローチャートである。
【００５９】
すなわち、本パチンコ機１に対面して着座した遊技者が発射ハンドル２を握り、適宜の角度に回動操作すると（ステップＳ１）、不図示の発射装置の作動で遊技球が所定の時間間隔で遊技領域３ａに向けて連続発射される。すると、遊技領域３ａに打ち出されて転動落下する多数の遊技球は、始動チャッカー２７や一般入賞口２５ａ，２５ｂに適時入賞し、或いは、これらに関与せずに転動落下して、遊技領域最下部のアウト口（図示せず）から遊技盤３背面側に排出される。
【００６０】
つまり、遊技領域３ａに向けて打ち出された多数の遊技球は、その一部がワープ導入口３７から導入されてステージ７７上に放出された後、切欠き部７８から始動チャッカー２７に向けて落下する。この際、遊技球は、障害釘３０への当接状況によって始動チャッカー２７に入賞したり、入賞できなかったりする。この際、当該遊技球は、落下方向が、始動チャッカー２７上の一対の障害釘３０の間を通過して入球し得る方向と異なっても、障害釘３０の左右に打ち込まれた所謂ジャンプ釘（図示せず）や、このジャンプ釘から左右方向に配列された道釘（図示せず）で弾き返されることで、障害釘３０に絡んでその間を落下して始動チャッカー２７に入賞することもある。
【００６１】
ところで、始動チャッカー２７、一般入賞口２５ａ，２５ｂ、スルーゲート９５の何れかに入賞又は入球した場合には、入賞入球判定手段５５が入賞又は入球を判定し、且つ入賞入球信号出力手段５６が信号を出力する（ステップＳ２）。この際、保留手段６０は、保留している変動パターンに係る信号を、遊技制御手段５９を介して表示制御手段６５に順次送信し、変動パターン信号の送信に応じて保留球数を１デクリメントする。また保留手段６０は、当該保留球の消費に応じて、第１抽選手段５７で行われる始動チャッカー２７への入賞に応じた大当たり抽選の結果を保留球として記憶し、保留球数を１インクリメントする。
【００６２】
ステップＳ３において、大当たり抽選で当選した場合、第１抽選手段５７のうち該当する側が当たりフラグをオンすると、演出用メモリに格納された演出乱数値に基づく抽選で、大当たりの種別に対応する変動パターンが決定される。これにより、ステップＳ４において、図柄表示装置３５に表示されるべき当たり図柄がセットされ、第１抽選手段５７は、その旨の変動パターン信号を出力すると共に、当該変動パターン信号に基づく演出表示が終了するまでは次の変動パターン信号を送信しないようにするために図柄変動禁止フラグをオンし、当該オンした図柄変動禁止フラグを解除する時間を計測するための図柄変動タイマをセットし、変動パターン信号の送信に応じて保留球数を１デクリメントする。一方、大当たり抽選で外れた場合には、演出用メモリに格納された演出乱数値に基づく抽選で、変動の結果、外れに対応する図柄が最終的に揃う旨の変動パターンが決定される。これにより、図柄表示装置３５に表示される外れ図柄がセットされ、第１抽選手段５７は、その旨の変動パターン信号を出力すると共に、図柄変動禁止フラグをオンし、図柄変動タイマをセットし、変動パターン信号の送信に応じて保留球数を１デクリメントする。
【００６３】
以上のようにして、遊技制御手段５９が、図柄表示装置３５に表示すべき演出内容に関する信号を、表示制御手段６５に送信することに基づき、表示制御手段６５は、図柄表示装置３５を適時駆動し、大当たり抽選結果に関する内容等を、遊技者の視覚に訴えるように演出表示することとなる（ステップＳ５）。
【００６４】
上記のような図柄表示装置３５での演出表示において、信頼度決定手段１００が、演出制御手段６４に、信頼度演出装置７９を駆動する契機となる指令を送っていれば、演出制御手段６４は、指令を契機として、遊技中に発生したリーチの大当たり当落の信頼度報知のために、信頼度決定手段１００からの信号に応じ、信頼度に応じた演出が実行される。このため、大当たり抽選結果に関する内容が、遊技者の期待感を高める形で視覚的に訴えられる。これにより、遊技者は、スーパーリーチ等の演出の展開中に、まさかと思う部分が駆動することで、しかも可動立体造形部７９ｂの昇降が変化するその状態に新鮮さや高い興趣を感じつつ、遊技を楽しむことができる。
【００６５】
そして、図柄表示装置３５の画面３５ａ上に表れた抽選結果が大当たり決定である場合、作動制御手段６１は、作動決定手段６３の作動開始決定の旨の信号に基づき、所定のタイミングでアタッカー開閉ソレノイド７１に駆動信号を送り、当該ソレノイド７１を作動させてアタッカー５を開放し、所定数入賞が終了する（又は所定時間が経過する）毎に閉塞する動作を所定回数（所定ラウンド）だけ繰り返させる。これにより、アタッカー５に入賞した遊技球に対応する多量の遊技球が球供給口１７から皿ユニット１６に払い出されることとなる（ステップＳ６）。
【００６６】
以上が所謂第１種としての弾球遊技であるが、この遊技と同時進行的に、所謂第２種としての弾球遊技が実行される。すなわち、ステップＳ１１において遊技領域３ａに打ち出された遊技球がスルーゲート９５に入球すると（ステップＳ１２）、その入球信号を入賞入球信号出力手段５６から入力した第２抽選手段９３が開閉抽選を行い（ステップＳ１３）、該抽選で当選した場合に、開閉体制御手段６６を介して始動チャッカー開閉ソレノイド７０を作動させて始動チャッカー２８を開閉動作させる（ステップＳ１４）。ここで、開放した始動チャッカー２８に遊技球が入賞すると、その入賞信号を入賞入球信号出力手段５６から入力した開閉体制御手段６６が、開閉体開閉ソレノイド７３に駆動信号を出力し、開閉体４９を所定時間開放した後に閉止させる（ステップＳ１５）。
【００６７】
上記開閉体４９の開閉動作が繰り返される中で、センター飾り２３の右側をタイミング良く流下する遊技球が開閉体４９を介して入球開口４８に取り込まれると、その遊技球は、開閉体４９の回動位置に応じて第１及び第２方向Ｇ１，２Ｇのいずれかに進む。そして、遊技球が第１方向Ｇ１に進んだ場合、該遊技球は、一方向回転している第１または第２クルーン部材３２、３３のＶ収容凹部３２ａ、３３ａ又は他の収容凹部の何れかに収容される。遊技球がＶ収容凹部３２ａ、３３ａ以外の収容凹部に進入すると、そのまま遊技領域外方に排出される。また、遊技球がＶ収容凹部３２ａ、３３ａに進入すると、回転する第１または第２クルーン部材３２、３３に保持されて同方向に回転移動しながら、大当たり入賞口に入賞する（ステップＳ１６）。
【００６８】
一方、開閉体４９を介して入球開口４８に取り込まれた遊技球が、第２方向Ｇ２に落下すると、更に該遊技球は、排出路２９に案内されながら排出口２６に導かれる。
【００６９】
以上のように大当たり入賞口への入賞で大当たりが確定した場合、開閉体制御手段６６が開閉体開閉ソレノイド７３に駆動信号を出力して、開閉体４９の開閉動作を、９回ずつ１５ラウンドだけ繰り返させる。これにより、センター飾り２３内に入賞した遊技球に対応する多量の遊技球が球供給口１７から皿ユニット１６に払い出されることとなる。
【００７０】
以上説明のように本実施の形態では、入球開口部４８を開放又は閉止する比較的長尺な部材からなる開閉体４９は、一端部４９ａを入球開口部４８から外方に向け、他端部４９ｂを入球開口部４８の内方に向けた状態で回動軸５０を中心に回動することができ、この回動軸５０は、開閉体４９の他端部４９ｂよりも中央側に偏倚した位置で開閉体４９を回動支持しているので、センター飾り２３を収容する遊技領域３ａの制約を受けることなく、限られた遊技領域３ａのスペースであっても良好に開閉体４９の開閉動作を実現できる。
【００７１】
また、入球開口部４８の内方にある開閉体４９の他端部４９ｂが、入球開口部４８からセンター飾り２３の内方側に突出しているので、開閉体４９の一端部４９ａで捕捉された遊技球Ｂａは、開閉体４９に案内されながらセンター飾り２３の内方側まで到達し、遊技球Ｂａをセンター飾り２３の内方に円滑に流下させることができる。
【００７２】
ついで、図８を参照して、先に説明した実施形態の構成をやや変形したの変形例について説明する。図８は、センター飾り２３のワープ導入口３７が設けられた縁部に、第２の信頼度演出装置８２を設けた変形例を示す正面図である。同図では、上述した先の実施形態と同様な部分は、同一符号を付してその説明を省略している。また、図８に示す信頼度演出装置７９は、図１及び図２で説明した先の実施形態における信頼度演出装置７９とやや形状は異なるが、その機能は実質的に同様である。
【００７３】
第２の信頼度演出装置８２（図５参照）は、上述した信頼度演出装置７９と共に、或いは信頼度演出装置７９とは個別に、信頼度決定手段１００からの信号に基づいて、大当たりとなる確率を示す信頼度を示す信頼度演出を実行している。本変形例では、第２の信頼度演出装置８２は信頼度演出装置７９と統一したデザインが採用されており、一定の契機によりセンター飾り２３の左上方から動き出す手状の立体造形物８２が、図柄表示装置３５の画面３５ａの左方を掴み取るような演出をする。第２の信頼度演出装置８２には手の指に相当する複数の指状造形物８２ａが形成されており、演出時に指状造形物８２ａが個別に動作することができる。
【００７４】
本変形例による第２の信頼度演出装置８２によれば、画面３５ａに表される画像、または、信頼度演出装置７９と共にアタッカー５を開放する信頼度演出を実行することができ、遊技者にとって予期せぬ印象を与えることができる。
【００７５】
以上、本発明をその好適な実施の形態及び変形例に基づいて説明したが、本発明の遊技機は、上記実施形態及び変形例の構成にのみ限定されるものではなく、上記実施形態及び変形例の構成から種々の修正及び変更を施した遊技機も、本発明の範囲に含まれる。
【図面の簡単な説明】
【００７６】
【図１】本発明に係る実施形態におけるパチンコ機の外部構造を示す正面図である。
【図２】センター飾りを拡大して示す正面図である。
【図３】センター飾りの右中央に配設された開閉体を示す正面図である。
【図４】本実施形態におけるパチンコ機の背面構造を示す背面図である。
【図５】本パチンコ機の制御系を示すブロック図である。
【図６】所謂第１種としての遊技を示すフローチャートである。
【図７】所謂第２種としての遊技を示すフローチャートである。
【図８】本実施形態をやや変形した変形例を示す図である。
【符号の説明】
【００７７】
１    遊技機（パチンコ機）
５    アタッカー
３ａ    遊技領域
２２    可動演出装置
２３    ユニット役物（センター飾り）
２７、２８  始動チャッカー
４８    入球開口部
４９    開閉体
４９ａ  一端部
４９ｂ  他端部
５０    回動軸
７９    信頼度演出装置
Ｂａ    遊技球
【図１】
2007267926.tif 000003
【図２】
2007267926.tif 000004
【図３】
2007267926.tif 000005
【図４】
2007267926.tif 000006
【図５】
2007267926.tif 000007
【図６】
2007267926.tif 000008
【図７】
2007267926.tif 000009
【図８】
2007267926.tif 000010